(57)【要約】【課題】シート状物の除電を確実に行うことができるシート状物取扱装置の静電気除去装置を提供する。【解決手段】枚葉紙１に印刷を施す枚葉印刷機に備えられて枚葉紙１に帯電した静電気を除電する除電装置６１〜６４を備えた静電気除去装置において、枚葉紙１の静電気量を検出する静電気センサ５１〜５４と、作業者に対して情報を表示する表示部４２Ａ及び除電装置６１〜６４の制御の有無を選択する選択部４２Ｂを有する表示・選択装置４２と、静電気センサ５１〜５４からの情報に基づいて、表示・選択装置４２の表示部４２Ａで情報を表示するように表示・選択装置４２を制御すると共に除電装置６１〜６４を制御する制御装置４１とを備えている。【選択図】図１
2009001418.tif 000002
【特許請求の範囲】
【請求項１】
シート状物を取り扱うシート状物取扱装置に備えられて当該シート状物に帯電した静電気を除電する除電手段を備えた静電気除去装置において、
前記シート状物の静電気量を検出する静電気量検出手段と、
前記静電気量検出手段からの出力に基づいて、表示手段に情報を表示させる制御手段と
を備えていることを特徴とするシート状物取扱装置の静電気除去装置。
【請求項２】
シート状物を取り扱うシート状物取扱装置に備えられて当該シート状物に帯電した静電気を除電する除電手段を備えた静電気除去装置において、
前記シート状物の静電気量を検出する静電気量検出手段と、
前記静電気量検出手段により検出された静電気量が基準値以上のときに、警告を行うように警告手段を制御する制御手段と
を備えていることを特徴とするシート状物取扱装置の静電気除去装置。
【請求項３】
請求項１に記載のシート状物取扱装置の静電気除去装置において、
前記制御手段による前記除電手段の制御の有無を選択する選択手段を備えている
ことを特徴とするシート状物取扱装置の静電気除去装置。
【請求項４】
請求項１に記載のシート状物取扱装置の静電気除去装置において、
前記除電手段と前記静電気量検出手段とを複数組備えると共に、
前記制御手段が、各前記静電気量検出手段からの出力に基づいて、前記表示手段に情報を表示させる
ことを特徴とするシート状物取扱装置の静電気除去装置。
【請求項５】
請求項４に記載のシート状物取扱装置の静電気除去装置において、
前記表示手段が、各前記静電気量検出手段に対応する警告情報を表示するものであり、
前記制御手段が、各前記静電気量検出手段でそれぞれ検出された各静電気量のうち、基準値以上の値を検出した当該静電気量検出手段の前記警告情報を表示するように前記表示手段を制御する
ことを特徴とするシート状物取扱装置の静電気除去装置。
【請求項６】
請求項５に記載のシート状物取扱装置の静電気除去装置において、
前記表示手段が、各前記静電気量検出手段の配設位置を表示する
ことを特徴とするシート状物取扱装置の静電気除去装置。
【請求項７】
シート状物を取り扱うシート状物取扱装置に備えられて当該シート状物に帯電した静電気を除電する除電手段を備えた静電気除去装置において、
前記シート状物の静電気量を検出する静電気量検出手段と、
前記静電気量検出手段からの出力に基づいて、前記除電手段を制御する制御手段と
を備えていることを特徴とするシート状物取扱装置の静電気除去装置。
【請求項８】
請求項７に記載のシート状物取扱装置の静電気除去装置において、
前記制御手段が、前記静電気量検出手段により検出された静電気量が基準値以上のときに、前記除電手段を作動させるように当該除電手段を制御する
ことを特徴とするシート状物取扱装置の静電気除去装置。
【請求項９】
請求項８に記載のシート状物取扱装置の静電気除去装置において、
前記制御手段が、前記静電気量検出手段からの出力に対応して、前記除電手段の除電力を調整する
ことを特徴とするシート状物取扱装置の静電気除去装置。
【請求項１０】
請求項７に記載のシート状物取扱装置の静電気除去装置において、
前記除電手段が、前記シート状物取扱装置の周囲の雰囲気を加湿する加湿手段を備えると共に、
前記制御手段が、前記静電気量検出手段からの出力に基づいて、前記加湿手段を制御する
ことを特徴とするシート状物取扱装置の静電気除去装置。
【請求項１１】
請求項１０に記載のシート状物取扱装置の静電気除去装置において、
前記制御手段が、前記静電気量検出手段により検出された静電気量が基準値以上のときに、前記加湿手段を作動させるように当該加湿手段を制御する
ことを特徴とするシート状物取扱装置の静電気除去装置。
【請求項１２】
請求項１，２，７のいずれか一項に記載のシート状物取扱装置の静電気除去装置において、
前記除電手段が、イオンを送給することにより前記シート状物に帯電した静電気を中和して徐電するイオン発生器を備えている
ことを特徴とするシート状物取扱装置の静電気除去装置。
【請求項１３】
請求項１，２，７のいずれか一項に記載のシート状物取扱装置の静電気除去装置において、
前記除電手段が、前記シート状物取扱装置の周囲の雰囲気を加湿する加湿手段を備えている
ことを特徴とするシート状物取扱装置の静電気除去装置。
【発明の詳細な説明】
【技術分野】
【０００１】
本発明は、シート状物を取り扱うシート状物取扱装置に備えられて当該シート状物に帯電した静電気を除電する静電気除去装置に関し、特に、枚葉紙に印刷を施す枚葉印刷機に備えられて、当該枚葉紙に帯電した静電気を除電する場合に適用すると有効なものである。
【背景技術】
【０００２】
例えば、枚葉紙に印刷を施す枚葉印刷機において、当該枚葉紙に静電気が発生して帯電してしまうと、印刷時に給紙不良や排紙不良を引き起こしてしまうことがある。このため、例えば、積層された枚葉紙を順次送給するフィーダボード上にイオン発生手段からイオンを送給することにより、枚葉紙に帯電した静電気を中和して除電する静電気除去装置が知られている（例えば、下記特許文献１等参照）。
【０００３】
【特許文献１】特開２００４−１６８５０６号公報
【発明の開示】
【発明が解決しようとする課題】
【０００４】
しかしながら、前述したような特許文献１等に記載されている静電気除去装置においては、フィーダボード上の枚葉紙に一定量のイオンを常時送給しているため、静電気の帯電していない枚葉紙が送給されると、当該枚葉紙を逆に帯電させてしまうことや、帯電した静電気量の多い枚葉紙が送給されると、当該枚葉紙を十分に中和して除電することができないという問題があった。
【０００５】
このような問題は、枚葉紙に印刷を施す枚葉印刷機に限らず、例えば、積層された枚葉紙を順次送給して当該枚葉紙にニス等を塗布するコーティング装置や、積層された樹脂フィルムを順次送給して当該樹脂フィルムの表面状態等を検査する検査装置等のように、枚葉紙や樹脂フィルム等のシート状物に印刷やコーティングや検査等の取り扱いを行うシート状物取扱装置の静電気除去装置であれば、上述した場合と同様にして起こり得ることである。
【０００６】
このようなことから、本発明は、シート状物の除電を確実に行うことができるシート状物取扱装置の静電気除去装置を提供することを目的とする。
【課題を解決するための手段】
【０００７】
前述した課題を解決するための、本発明に係るシート状物取扱装置の静電気除去装置は、シート状物を取り扱うシート状物取扱装置に備えられて当該シート状物に帯電した静電気を除電する除電手段を備えた静電気除去装置において、前記シート状物の静電気量を検出する静電気量検出手段と、前記静電気量検出手段からの出力に基づいて、表示手段に情報を表示させる制御手段とを備えていることを特徴とする。
【０００８】
また、本発明に係るシート状物取扱装置の静電気除去装置は、シート状物を取り扱うシート状物取扱装置に備えられて当該シート状物に帯電した静電気を除電する除電手段を備えた静電気除去装置において、前記シート状物の静電気量を検出する静電気量検出手段と、前記静電気量検出手段により検出された静電気量が基準値以上のときに、警告を行うように警告手段を制御する制御手段とを備えていることを特徴とする。
【０００９】
また、本発明に係るシート状物取扱装置の静電気除去装置は、上述したシート状物取扱装置の静電気除去装置において、前記制御手段による前記除電手段の制御の有無を選択する選択手段を備えていることを特徴とする。
【００１０】
また、本発明に係るシート状物取扱装置の静電気除去装置は、上述したシート状物取扱装置の静電気除去装置において、前記除電手段と前記静電気量検出手段とを複数組備えると共に、前記制御手段が、各前記静電気量検出手段からの出力に基づいて、前記表示手段に情報を表示させることを特徴とする。
【００１１】
また、本発明に係るシート状物取扱装置の静電気除去装置は、上述したシート状物取扱装置の静電気除去装置において、前記表示手段が、各前記静電気量検出手段に対応する警告情報を表示するものであり、前記制御手段が、各前記静電気量検出手段でそれぞれ検出された各静電気量のうち、基準値以上の値を検出した当該静電気量検出手段の前記警告情報を表示するように前記表示手段を制御することを特徴とする。
【００１２】
また、本発明に係るシート状物取扱装置の静電気除去装置は、上述したシート状物取扱装置の静電気除去装置において、前記表示手段が、各前記静電気量検出手段の配設位置を表示することを特徴とする。
【００１３】
また、本発明に係るシート状物取扱装置の静電気除去装置は、シート状物を取り扱うシート状物取扱装置に備えられて当該シート状物に帯電した静電気を除電する除電手段を備えた静電気除去装置において、前記シート状物の静電気量を検出する静電気量検出手段と、前記静電気量検出手段からの出力に基づいて、前記除電手段を制御する制御手段とを備えていることを特徴とする。
【００１４】
また、本発明に係るシート状物取扱装置の静電気除去装置は、上述したシート状物取扱装置の静電気除去装置において、前記制御手段が、前記静電気量検出手段により検出された静電気量が基準値以上のときに、前記除電手段を作動させるように当該除電手段を制御することを特徴とする。
【００１５】
また、本発明に係るシート状物取扱装置の静電気除去装置は、上述したシート状物取扱装置の静電気除去装置において、前記制御手段が、前記静電気量検出手段からの出力に対応して、前記除電手段の除電力を調整することを特徴とする。
【００１６】
また、本発明に係るシート状物取扱装置の静電気除去装置は、上述したシート状物取扱装置の静電気除去装置において、前記除電手段が、前記シート状物取扱装置の周囲の雰囲気を加湿する加湿手段を備えると共に、前記制御手段が、前記静電気量検出手段からの出力に基づいて、前記加湿手段を制御することを特徴とする。
【００１７】
また、本発明に係るシート状物取扱装置の静電気除去装置は、上述したシート状物取扱装置の静電気除去装置において、前記制御手段が、前記静電気量検出手段により検出された静電気量が基準値以上のときに、前記加湿手段除を作動させるように当該加湿手段を制御することを特徴とする。
【００１８】
また、本発明に係るシート状物取扱装置の静電気除去装置は、上述したシート状物取扱装置の静電気除去装置において、前記除電手段が、イオンを送給することにより前記シート状物に帯電した静電気を中和して徐電するイオン発生器を備えていることを特徴とする。
【００１９】
また、本発明に係るシート状物取扱装置の静電気除去装置は、上述したシート状物取扱装置の静電気除去装置において、前記除電手段が、前記シート状物取扱装置の周囲の雰囲気を加湿する加湿手段を備えていることを特徴とする。
【発明の効果】
【００２０】
本発明に係るシート状物取扱装置の静電気除去装置によれば、静電気量検出手段からの出力に基づいて、制御手段で表示手段を制御することから、静電気の帯電していないシート状物や帯電した静電気量の多いシート状物を把握することができるので、除電手段によるシート状物の除電を確実に行うことができる。
【００２１】
さらに、本発明に係るシート状物取扱装置の静電気除去装置によれば、静電気量検出手段からの出力に基づいて、制御手段で除電手段を制御することから、シート状物の帯電状態に対応して除電手段がシート状物を除電することができるので、静電気の帯電していないシート状物や帯電した静電気量の多いシート状物であっても、除電手段によるシート状物の除電を確実に行うことができる。
【発明を実施するための最良の形態】
【００２２】
［第一番目の実施形態］
本発明に係るシート状物取扱装置の静電気除去装置の第一番目の実施形態を図１〜４に基づいて以下に説明する。図１は、本発明に係るシート状物取扱装置の静電気除去装置を枚葉印刷機の静電気除去装置に適用した場合の第一番目の実施形態の枚葉印刷機の全体概略構成図、図２は、図１の静電気除去装置の入出力装置の表示画面、図３は、図１の静電気除去装置の作動フロー図、図４は、図３に続く作動フロー図である。
【００２３】
図１に示すように、シート状物供給部である給紙部１０は、シート状物である枚葉紙１が載置される給紙台１１と、当該給紙台１１上に積層された枚葉紙１を印刷部２０に順次送給するシート状物供給手段であるフィーダボード１２とを備えている。
【００２４】
前記給紙部１０の前記フィーダボード１２は、印刷部２０の図示しないインキ装置や湿し装置や版胴や圧胴等を備えた第一印刷ユニット２１の当該圧胴に図示しないスイング装置を介して連絡している。第一印刷ユニット２１の上記圧胴は、図示しないインキ装置や湿し装置や版胴や圧胴等を備えた第二印刷ユニット２２の当該圧胴に図示しない渡胴を介して連絡している。第二印刷ユニット２２の上記圧胴は、図示しないインキ装置や湿し装置や版胴や圧胴等を備えた第三印刷ユニット２３の当該圧胴に図示しない渡胴を介して連絡している。第三印刷ユニット２３の上記圧胴は、図示しないインキ装置や湿し装置や版胴や圧胴等を備えた第四印刷ユニット２４の当該圧胴に図示しない渡胴を介して連絡している。第四印刷ユニット２４の上記圧胴は、シート状物排出部である排紙部３０に連絡している。
【００２５】
前記排紙部３０は、印刷された枚葉紙１を排紙する排紙台３１と、前記第四印刷ユニットの前記圧胴と排紙台３１との間を走行するチェーンに複数取り付けられて当該圧胴から上記枚葉紙１を受け取って上記排紙台３１上に排紙する図示しない爪竿と、上記爪竿から排紙台３１上に排紙される枚葉紙１の尻側を吸引して当該枚葉紙１を減速させて当該排紙台３１上に揃うように当該枚葉紙１を排紙させる図示しない減速手段である吸引車とを備えている。
【００２６】
また、前記給紙部１０には、給紙台１１上に積層された枚葉紙１（供給パイル）の静電気量を検出する静電気量検出手段である静電気センサ５１と、給紙台１１上に積層された枚葉紙１にイオンを送給して当該枚葉紙１に帯電した静電気を中和して除電する除電手段である除電装置（イオン発生器）６１とが配設されると共に、フィーダボード１２上を送給される枚葉紙１の静電気量を検出する静電気量検出手段である静電気センサ５２と、フィーダボード１２上を送給される枚葉紙１にイオンを送給して当該枚葉紙１に帯電した静電気を中和して除電する除電手段である除電装置（イオン発生器）６２とが配設されている。
【００２７】
そして、前記排紙部３０には、前記吸引車で吸引されている枚葉紙１の静電気量を検出する静電気量検出手段である静電気センサ５３と、前記吸引車で吸引されている枚葉紙１に帯電した静電気を中和して除電する除電手段である除電装置（イオン発生器）６３とが配設されると共に、排紙台３１上に排紙された枚葉紙１（排出パイル）の静電気量を検出する静電気量検出手段である静電気センサ５４と、排紙台３１上に排紙された枚葉紙１に帯電した静電気を中和して除電する除電手段である除電装置（イオン発生器）６４とが配設されている。
【００２８】
前記除電装置６１〜６４は、プラスイオン及びマイナスイオンの一方又はプラスイオンとマイナスイオンとを交互若しくは同時に発生させて、プラス又はマイナスに帯電している枚葉紙１を中和させて除電することができるようになっている。なお、上記枚葉紙１は、通常、プラスに帯電することが多いことから、前記除電装置６１〜６４は、マイナスイオン又はプラスイオンとマイナスイオンとを交互若しくは同時に発生させることができるものであると好ましい。
【００２９】
前記静電気センサ５１〜５４は、制御手段である制御装置４１の入力部にそれぞれ電気的に接続している。前記除電装置６１〜６４は、上記制御装置４１の出力部にそれぞれ電気的に接続している。上記制御装置４１の入力部には、枚葉印刷機の周囲の雰囲気の温度を検出する温度検出手段である温度センサ５５と、枚葉印刷機の周囲の雰囲気の湿度を検出する湿度検出手段である湿度センサ５６とがそれぞれ電気的に接続している。上記制御装置４１の出力部には、枚葉印刷機の周囲（特に、静電気センサ５１〜５４を配設している周囲）の雰囲気を加湿する加湿手段であると共に除電手段である加湿器６５が電気的に接続している。
【００３０】
前記制御装置４１の入力部及び出力部には、作業者に対して情報を表示する表示手段である表示部４２Ａと、当該制御装置４１による前記除電装置６１〜６４の制御の有無を選択する選択手段である選択部４２Ｂとを備えた表示・選択装置４２が電気的に接続している。また、前記制御装置４１の出力部には、作業者に対して警告する警告手段であるスピーカ４３が電気的に接続している。
【００３１】
前記表示・選択装置４２は、図２に示すように、前記表示部４２Ａと前記選択部４２Ｂとを同一画面上に表示するタッチパネルを備えている。このタッチパネルは、上記表示部４２Ａとして、前記温度センサ５５での検出情報に基づく枚葉印刷機の周囲の雰囲気の温度を表示する温度表示部４２Ａａと、前記湿度センサ５６での検出情報に基づく枚葉印刷機の周囲の雰囲気の湿度を表示する湿度表示部４２Ａｂと、枚葉印刷機に配設した前記静電気センサ５１〜５４の各設置位置を表示するセンサ位置表示部４２Ａｃと、当該静電気センサ５１〜５４で検出した各静電気量を数値及びグラフでそれぞれ表示する静電気量表示部４２Ａｄ及びグラフ表示部４２Ａｅと、当該静電気センサ５１〜５４で検出した枚葉紙１の各静電気量検出位置における帯電状態（安全域か警告域か）を色調で表示する色調表示部４２Ａｆとがそれぞれ設けられている。
【００３２】
また、前記タッチパネルは、上記選択部４２Ｂとして、前記加湿器６５を作動させると共に前記除電装置６１〜６４をそれぞれ独立して作動させる各ＯＮスイッチ４２Ｂａと、前記加湿器６５の作動を停止させると共に前記除電装置６１〜６４の作動をそれぞれ独立して停止させる各ＯＦＦスイッチ４２Ｂｂと、前記除電装置６１〜６４及び前記加湿器６５の作動及び停止を自動的に行わせる自動運転スイッチ４２Ｂｃとがそれぞれ設けられている。
【００３３】
そして、前記制御装置４１は、前記センサ５１〜５６からの各出力（情報）に基づいて、前記表示・選択装置４２の表示部４２Ａで各情報をそれぞれ表示するように、当該表示・選択装置４２を制御すると共に、前記スピーカ４３により警告するように制御し、前記表示・選択装置４２の選択部４２Ｂで選択された各前記除電装置６１〜６４の運転状態、並びに、前記センサ５１〜５６からの各情報（出力）及び予め入力されている各種情報に基づいて、前記除電装置６１〜６４及び前記加湿器６５の作動を制御することができるようになっている（詳細は後述する）。
【００３４】
なお、本実施形態においては、枚葉紙１の供給、搬送、印刷、減速、排出等を行う、前記給紙部１０、前記フィーダボード１２、前記印刷部２０、前記排紙部３０が、それぞれシート状物取扱装置を構成していると同時に、当該給紙部１０、当該フィーダボード１２、当該印刷部２０、当該排紙部３０を備える全体としての枚葉印刷機としても、シート状物取扱装置を構成している。
【００３５】
このような本実施形態に係る枚葉印刷機の作動を次に説明する。
【００３６】
前記給紙部１０の給紙台１１上に載置された枚葉紙１は、フィーダボード１２から一枚ずつ印刷部２０の第一印刷ユニット２１の前記圧胴に順次受け渡されると、第一色目が印刷され、第二印刷ユニット２２の前記圧胴に受け渡されて第二色目が印刷され、以下、同様に、第三印刷ユニット２３、第四印刷ユニット２４の前記圧胴に順次受け渡されて第三色目及び第四色目が印刷された後、排紙部３０の前記爪竿にくわえ替えされて順次搬送され、前記吸引車で尻側を吸引されることにより、排紙台３１上に揃えられながら順次排紙される。
【００３７】
このようにして枚葉紙１に印刷を行うにあたって、図３、４に示すように、まず、前記制御装置４１に枚葉紙１の種類やサイズや厚さ等の条件を選択入力する（Ｓ１）と共に、運転モード（除電装置６１〜６４及び加湿器６５の作動及び停止を自動で行うか手動で行うか）を前記表示・選択装置４２の選択部４２Ｂから制御装置４１に選択入力（自動運転スイッチ４２ＢｃのＯＮ・ＯＦＦ設定）する（Ｓ２）。
【００３８】
これに対応して、制御装置４１は、前記温度センサ５５及び前記湿度センサ５６からの出力（情報）に基づいて、枚葉印刷機の周囲の雰囲気の温度及び湿度を前記表示・選択装置４２の表示部４２Ａの温度表示部４２Ａａ及び湿度表示部４２Ａｂに表示すると共に、前記静電気センサ５１〜５４からの出力（情報）に基づいて、前記給紙部１０の給紙台１１及びフィーダボード１２上の枚葉紙１並びに前記排紙部３０の前記吸引車で吸引されている枚葉紙１及び排紙台３１上の枚葉紙１の静電気量を前記表示・選択装置４２の表示部４２Ａの各位置に対応する前記表示部４２Ａｄ〜４２Ａｆにそれぞれ表示する（Ｓ３）。
【００３９】
続いて、前記制御装置４１は、前記静電気センサ５１〜５４でそれぞれ検出された各静電気検出位置の各静電気量と、枚葉紙１の種類やサイズや厚さ等の条件に応じて静電気量検出位置ごとにそれぞれ予め入力設定された各許容静電気量（基準値）とをそれぞれ比較する（Ｓ４）。
【００４０】
なお、一般的に、枚葉印刷機において、排紙部３０で設定される基準値は、枚葉紙１を揃えられる程度の比較的大きな値でよいのに対し、給紙部１０で設定される基準値は、枚葉紙１が重なって送給されることなく当該枚葉紙１を一枚ずつ順次送給できるように比較的小さな値に設定される。
【００４１】
前記制御装置４１は、すべての静電気検出位置で検出した静電気量が、対応する基準値よりも小さい場合（Ｓ５）には、前記表示・選択装置４２の表示部４２Ａにおいて、すべての検出位置の前記色調表示部４２Ａｆをそれぞれ安全域表示（例えば、緑色）して（Ｓ６）、前記ステップＳ２に戻り、上記ステップＳ２〜Ｓ５を繰り返す。
【００４２】
他方、上記ステップＳ５において、すべての静電気検出位置で検出した静電気量が基準値よりも小さくない場合、すなわち、静電気検出位置の少なくとも一つの検出した静電気量が基準値以上の場合には、上記制御装置４１は、前記表示・選択装置４２の表示部４２Ａにおいて、基準値よりも小さい値の検出位置の前記色調表示部４２Ａｆを安全域表示（例えば、緑色）する一方、基準値以上の値の検出位置の前記色調表示部４２Ａｆを警告域表示（例えば、赤色）する（Ｓ７）。
【００４３】
そして、上記ステップＳ２において、自動運転モードが選択されていない場合（Ｓ８）、すなわち、手動運転モードが選択されている場合（自動運転スイッチ４２ＢｃがＯＦＦ（消灯））、前記スピーカ４３から警告音（アラーム）を発生させて（Ｓ９）、作業者に対して、前記表示・選択装置４２の表示部４２Ａのグラフ表示部４２Ａｅ及び色調表示部４２Ａｆで警告域表示した前記静電気検出位置に対応する前記除電装置６１〜６４の作動選択を求める。
【００４４】
これに応じて、作業者が、前記表示・選択装置４２の表示部４２Ａのグラフ表示部４２Ａｅ及び色調表示部４２Ａｆで警告域表示されている静電気検出位置の前記除電装置６１〜６４に対応する選択部４２Ｂの前記ＯＮスイッチ４２Ｂａを入れると（Ｓ１０）、制御装置４１は、前記スピーカ４３からの警告音（アラーム）の発生を停止させる（Ｓ１１）と共に、前記表示・選択装置４２において、警告域表示された静電気検出位置の当該除電装置６１〜６４を作動表示させる（Ｓ１２）、すなわち、前記選択部４２Ｂにおいて、上記ＯＮスイッチ４２Ｂａを点灯させる一方、帯電する静電気量と除電に必要十分な各前記除電装置６１〜６４の出力（除電力）との関係を枚葉紙１の種類やサイズや厚さ等の条件に対応して予め入力されたマップを読み出し（Ｓ１３）、当該マップに基づいて設定し、対応する前記静電気センサ５１〜５４で検出された静電気量の値に対応した除電力の出力となるように、対応する前記除電装置６１〜６４を制御すると共に、加湿器６５を作動させる（Ｓ１４）。
【００４５】
これにより、警告域表示された検出位置の枚葉紙１は、対応する前記除電装置６１〜６４からイオンが吹き付けられて静電気が中和されると共に前記加湿器６５によって周囲の雰囲気が加湿されて除電される。
【００４６】
このようにして警告域表示された検出位置の枚葉紙１が除電されていき、当該除電位置で検出される枚葉紙１の静電気量が基準値よりも小さくなると（Ｓ１５）、前記制御装置４１は、前記静電気センサ５１〜５４からの情報に基づいて、前記表示・選択装置４２の表示部４２Ａにおいて、前記色調表示部４２Ａｆを警告域表示（例えば、赤色）から安全域表示（例えば、緑色）に変更して（Ｓ１６）、前記除電装置６１〜６４の作動を停止させると共に、加湿器６５の作動を停止させ（Ｓ１７）、前記表示・選択装置４２の選択部４２Ｂにおいて、当該除電箇所の除電装置６１〜６４の前記ＯＦＦスイッチ４２Ｂｂを押して作動停止表示を行う（Ｓ１８）、すなわち、前記選択部４２Ｂにおいて、前記ＯＮスイッチ４２Ｂａを消灯させる。その後、前記ステップＳ２に戻り、上記ステップＳ２〜Ｓ１８を繰り返す。
【００４７】
他方、前記ステップＳ８において、制御装置４１が自動運転モードになっている場合（自動運転スイッチ４２ＢｃがＯＮ（点灯））には、制御装置４１は、前記表示・選択装置４２の表示部４２Ａの前記グラフ表示部４２Ａｅ及び前記色調表示部４２Ａｆで警告域表示した静電気検出位置に対応する選択部４２Ｂの前記ＯＮスイッチ４２Ｂａを自動的に入れて、手動運転モードの場合と同様な前記ステップＳ１２〜Ｓ１８を行う。
【００４８】
なお、前記ステップＳ１５において、前記除電箇所で検出される枚葉紙１の静電気量が基準値よりも大きい場合でも、当該除電箇所に対応する除電装置６１〜６４の前記ＯＦＦスイッチ４２Ｂｂを入れることにより（Ｓ１９）、対応する除電装置６１〜６４の作動及び加湿器６５の作動を強制的に停止させることも可能である。
【００４９】
つまり、本実施形態においては、枚葉紙１の帯電状態（静電気量）を常に把握して、当該枚葉紙１の帯電状態（静電気量）に応じて除電の有無及び除電力の調整を行うようにしたのである。
【００５０】
このため、本実施形態においては、静電気の帯電していない枚葉紙１を帯電させてしまうことがないと同時に、帯電した静電気量の多い枚葉紙１であっても十分に中和して除電することができる。
【００５１】
したがって、本実施形態によれば、枚葉紙１の除電を確実に行うことができる。
【００５２】
［第二番目の実施形態］
本発明に係るシート状物取扱装置の静電気除去装置の第二番目の実施形態を図５，６に基づいて以下に説明する。図５は、本発明に係るシート状物取扱装置の静電気除去装置を枚葉印刷機の静電気除去装置に適用した場合の第二番目の実施形態の静電気除去装置の作動フロー図、図６は、図５に続く作動フロー図である。なお、前述した第一番目の実施形態と同一の部分については、前述した第一番目の実施形態の説明で用いた符号と同一の符号を用いることにより、前述した第一番目の実施形態での説明と重複する説明を省略する。
【００５３】
本実施形態に係る静電気除去装置は、前述した第一番目の実施形態の場合と装置構成そのものは同一であり、作動フローの一部のみが異なるものとなっている。
【００５４】
具体的には、前記制御装置４１は、図５，６に示すように、前述した第一番目の実施形態で説明したステップＳ１〜Ｓ１２の作動を行うと、予め定められた一定の出力（除電力）で、対応する各除電装置６１〜６４を作動させると共に、加湿器６５を作動させる、すなわち、警告域表示の検出位置の除電装置６１〜６４を一定の出力（除電力）で作動させると共に、加湿器６５を作動させる（Ｓ２０）。
【００５５】
これにより、警告域表示された検出位置の枚葉紙１は、前述した第一番目の実施形態の場合と同様に、対応する前記除電装置６１〜６４からイオンが吹き付けられて静電気が中和されると共に前記加湿器６５によって周囲の雰囲気が加湿されて除電される。
【００５６】
続いて、前記制御装置４１は、前述した第一番目の実施形態で説明したステップＳ１５〜Ｓ１９の作動を行う。
【００５７】
つまり、前述した第一番目の実施形態においては、前記制御装置４１が、前記ステップＳ１３として、帯電する静電気量と除電に必要十分な各前記除電装置６１〜６４の出力（除電力）との関係を枚葉紙１の種類やサイズや厚さ等の条件に対応して予め入力されたマップを読み出して、前記ステップＳ１４として、上記マップに基づいて設定され、対応する前記静電気センサ５１〜５４で検出された静電気量の値に対応した除電力の出力となるように、対応する前記除電装置６１〜６４の作動を制御すると共に、加湿器６５を作動させるようにしたが、本実施形態においては、前記制御装置４１が、前記マップに基づくことなく、予め定められた一定の出力で、対応する前記除電装置６１〜６４を作動させると共に、前記加湿器６５を作動させる、すなわち、前記ステップＳ２０として、警告域表示の検出位置の前記除電装置６１〜６４を一定の出力で作動させると共に、前記加湿器６５を作動させるようにしたのである。
【００５８】
したがって、本実施形態によれば、前述した第一番目の実施形態の場合と同様に、枚葉紙１の除電を確実に行うことができる。
【００５９】
［他の実施形態］
なお、前述した第一番目の実施形態においては、前記制御装置４１が、いずれかの前記静電気センサ５１〜５４で検出された静電気量の値が前記基準値以上となったら、前記加湿器６５を作動させるようにしたが（ステップＳ１４）、他の実施形態として、例えば、いずれかの前記静電気センサ５１〜５４で検出された静電気量の値が前記基準値以上となるだけでなく、前記湿度センサ５６で検出された枚葉印刷機の周囲の雰囲気の湿度が、予め設定された範囲以下の場合に、前記加湿器６５を作動させると共に、当該湿度センサ５６で検出された枚葉印刷機の周囲の雰囲気の湿度が、予め設定された範囲を超えた場合には、静電気量の検出値が前記基準値以上であっても、前記加湿器６５の作動を停止させるようにすることも可能である。
【００６０】
また、前述した第一，二番目の実施形態においては、手動運転モードが選択されている場合、前記スピーカ４３から警告音（アラーム）や、前記表示・選択装置４２の表示部４２Ａの情報に基づいて、作業者が、前記表示・選択装置４２の選択部４２ＢのＯＮスイッチ４２Ｂａを入れることにより、制御装置４１が、対応する前記除電装置６１〜６４を制御すると共に、加湿器６５を作動させるようにしたが、他の実施形態として、例えば、表示手段に表示された情報や警告手段による警告に基づいて、除電装置（イオン発生器）の出力を手動で調整することや加湿器を手動で作動させることを作業者が直接行うようにすることも可能である。
【００６１】
また、前述した第一，二番目の実施形態においては、前記給紙部１０及び前記排紙部３０に静電気センサ５１〜５４及び除電装置６１〜６４を複数組配設するようにしたが、本発明はこれに限らず、例えば、給紙部１０に一組だけ配設することや、さらに印刷部２０の各印刷ユニット２１〜２４の各圧胴の近傍にそれぞれ複数組配設すること等のように、配設位置や配設組数は、各種条件に応じて適宜設定されるものである。
【００６２】
また、前述した第一，二番目の実施形態においては、除電手段として、除電装置（イオン発生器）６１〜６４及び加湿器６５の両方を適用して枚葉紙１に帯電した静電気を除電するようにしたが、他の実施形態として、除電手段として、除電装置（イオン発生器）６１〜６４及び加湿器６５のいずれか一方のみを適用して枚葉紙１に帯電した静電気を除電するようにすることも可能である。
【００６３】
また、前述した第一，二番目の実施形態においては、前記表示・選択装置４２の表示部４１Ａで表示される前記温度、前記湿度、前記センサ位置、前記静電気量、前記グラフ、前記色調はもちろんのこと、前記表示・選択装置４２の選択部４１Ｂで選択されて表示される前記運転状態も含めて前記情報を構成したが、本発明はこれに限らず、上記要件をすべて備えて前記情報を構成する必要はなく、また、他の要件をさらに備えて前記情報が構成することも可能である。
【００６４】
また、前述した第一，二番目の実施形態においては、枚葉紙１に印刷を施す枚葉印刷機の静電気除去装置に適用した場合について説明したが、本発明はこれに限らず、例えば、積層された枚葉紙を順次送給して当該枚葉紙にニス等を塗布するコーティング装置や、積層された樹脂フィルムを順次送給して当該樹脂フィルムの表面状態等を検査する検査装置等のように、枚葉紙や樹脂フィルム等のシート状物に印刷やコーティングや検査等の取り扱いを行うシート状物取扱装置の静電気除去装置であれば、前述した第一，二番目の実施形態の場合と同様にして適用することが可能である。
【産業上の利用可能性】
【００６５】
本発明に係るシート状物取扱装置の静電気除去装置は、除電手段によるシート状物の除電を確実に行うことができるので、例えば、枚葉紙に印刷を施す印刷産業等において、極めて有益に利用することができる。
【図面の簡単な説明】
【００６６】
【図１】本発明に係るシート状物取扱装置の静電気除去装置を枚葉印刷機の静電気除去装置に適用した場合の第一番目の実施形態の枚葉印刷機の全体概略構成図である。
【図２】図１の静電気除去装置の表示・選択装置の画面の説明図である。
【図３】図１の静電気除去装置の作動フロー図である。
【図４】図３に続く作動フロー図である。
【図５】本発明に係るシート状物取扱装置の静電気除去装置を枚葉印刷機の静電気除去装置に適用した場合の第二番目の実施形態の静電気除去装置の作動フロー図である。
【図６】図５に続く作動フロー図である。
【符号の説明】
【００６７】
１  枚葉紙
１０  給紙部
１１  給紙台
１２  フィーダボード
２０  印刷部
２１  第一印刷ユニット
２２  第二印刷ユニット
２３  第三印刷ユニット
２４  第四印刷ユニット
３０  排紙部
３１  排紙台
４１  制御装置
４２  表示・選択装置
４２Ａ  表示部
４２Ａａ  温度表示部
４２Ａｂ  湿度表示部
４２Ａｃ  センサ位置表示部
４２Ａｄ  静電気量表示部
４２Ａｅ  グラフ表示部
４２Ａｆ  色調表示部
４２Ｂ  選択部
４２Ｂａ  ＯＮスイッチ
４２Ｂｂ  ＯＦＦスイッチ
４２Ｂｃ  自動運転スイッチ
４３  スピーカ
５１〜５４  静電気センサ
５５  温度センサ
５６  湿度センサ
６１〜６４  除電装置
６５  加湿器
【図１】
2009001418.tif 000003
【図２】
2009001418.tif 000004
【図３】
2009001418.tif 000005
【図４】
2009001418.tif 000006
【図５】
2009001418.tif 000007
【図６】
2009001418.tif 000008